(57)【要約】【課題】  常時は後退位置に保持され要時に動作してかごの側面から移動ケーブルを隔離するエレベーターの移動ケーブル装置を得る。【解決手段】  昇降路１内の低温時に、移動ケーブル８の被覆層が合成樹脂製であるため下端の凸曲線部９の曲率半径が長くなる。この状態では作動手段１１を消勢し作動部１１先端の保護体１２が後退する。これによって、かご６が外部から可視状態となる昇降路１を有するエレベーターにおいてかご８の美観を損なう不具合を解消する。  また、昇降路１内の高温時に移動ケーブル８の凸曲線部９の曲率半径が短くなるが、高温時に制御装置１３が作動し作動手段１０の保護体１２により移動ケーブル８を押し、かご６から遠退けてかご８に移動ケーブル８が接触することによる損傷発生を防ぐ。【選択図】        図２
2005231794.tif 000002
【特許請求の範囲】
【請求項１】
昇降路を昇降するかご、一端が上記昇降路の上端寄りに吊持されて他端は上記かごの底面における中心寄りに吊持され、下端部に凸曲線部を形成して上記昇降路内に吊設された移動ケーブルと、上記かごに装備されて作動部に設けられた保護体が上記底面寄り箇所において上記移動ケーブルに対向して配置され、常時は後退位置に保持されて要時に動作して上記保護体によって上記移動ケーブルを押し上記かごの側面から遠退く方向に上記移動ケーブルを変位する作動手段と、上記昇降路内温度が所定値を超えて上昇したときに作動して上記作動手段を付勢する制御装置とを備えたエレベーターの移動ケーブル装置。
【請求項２】
作動手段を、進退機構によって構成されたアクチュエータからなるものとし、保護体を、上記作動手段の作動部先端に枢着されたローラからなるものとしたことを特徴とする請求項１記載のエレベーターの移動ケーブル装置。
【発明の詳細な説明】
【技術分野】
【０００１】
この発明は、展望用エレベーター等であってかごが外部から可視状態となる構造の昇降路が設けられるエレベーターの移動ケーブル装置に関する。
【背景技術】
【０００２】
エレベーターにおいて、昇降路に移動ケーブル、すなわち制御ケーブルが吊設され一端は昇降路の上部寄りに他端はかごの底面の中心寄りにそれぞれ吊持される。そして、従来のエレベーターの移動ケーブル装置では、昇降路を昇降する乗りかごに制御ケーブル保護装置が設けられて、乗りかごの側面における上下にそれぞれ配置されて乗りかごの側面よりも突出して装備され制御ケーブルに対向して配置される。
【０００３】
そして、吊設された制御ケーブル下端に凸曲線部が形成されて凸曲線部の曲率半径が、詳細は後述するが昇降路の温度変化によって変動した場合に、制御ケーブルが制御ケーブル保護装置に当たる。これによって、制御ケーブル下端の凸曲線部の曲率半径が変動したときに、乗りかごの側面が制御ケーブルを摺擦することによる制御ケーブルの損傷を防ぐように構成されている。（例えば、特許文献１参照）。
【０００４】
なお、吊設された制御ケーブル下端に形成される凸曲線部の曲率半径は、制御ケーブルに合成樹脂製の被覆層が設けられているため、下端の凸曲線部の曲率半径は昇降路内の温度上昇による被覆層の軟化によって短くなり、また昇降路内の温度下降による被覆層の硬化によって凸曲線部の曲率半径が長くなる。したがって、昇降路内の温度上昇時に吊設された制御ケーブルが乗りかごの側面に接近する。なお、例えば展望用エレベーターのガラス張り等の昇降路であって、太陽光を受ける構造の昇降路の場合には昇降路内の温度変化が大きくなる。
【０００５】
【特許文献１】特開平８−１４３２４６号公報（第２頁、図３）
【発明の開示】
【発明が解決しようとする課題】
【０００６】
従来のエレベーターの移動ケーブル装置では、吊設された制御ケーブル下端の凸曲線部の曲率半径が昇降路の温度上昇によって短くなったときに、乗りかごの側面における上下にそれぞれ設けられた制御ケーブル保護装置に制御ケーブルが当たる。これにより、乗りかごの側面が制御ケーブルを摺擦することによる制御ケーブルの損傷発生を防ぐように構成されている。
【０００７】
しかし、乗りかごに制御ケーブル保護装置が常時露出した状態に装備されているため、かごが外部から可視状態となる構造の昇降路が設けられるエレベーター、すなわち展望用エレベーター等の場合に、乗りかご外観の美観が損なわれるという問題点があった。
【０００８】
この発明は、かかる問題点を解消するためになされたものであり、常時は後退位置に保持され要時に動作してかごの側面から移動ケーブルを隔離するエレベーターの移動ケーブル装置を得ることを目的とする。
【課題を解決するための手段】
【０００９】
この発明に係るエレベーターの移動ケーブル装置においては、昇降路を昇降するかご、一端が昇降路の上端寄りに吊持されて他端はかごの底面における中心寄りに吊持され、下端部に凸曲線部を形成して昇降路内に吊設された移動ケーブルと、かごに装備されて作動部に設けられた保護体が、かごの底面寄り箇所において移動ケーブルに対向して配置されて常時は後退位置に保持され、要時に動作して保護体によって移動ケーブルを押しかごの側面から遠退く方向に移動ケーブルを変位する作動手段と、昇降路内温度が所定値を超えて上昇したときに作動して作動手段を付勢する制御装置とが設けられる。
【発明の効果】
【００１０】
この発明によるエレベーターの移動ケーブル装置は、通常時、すなわち昇降路内温度が比較的に低温である場合には、移動ケーブルの被覆層が合成樹脂製であるため移動ケーブル下端の凸曲線部の曲率半径が長くなる。この状態では作動手段が消勢されていて作動部先端の保護体が後退位置に保持される。このため、かごが外部から可視状態となる構造の昇降路が設けられるエレベーター、すなわち展望用エレベーター等において、かごの外観における美観が損なわれる不具合を解消する効果がある。
【００１１】
また、昇降路内温度が比較的に高温である場合は移動ケーブルの凸曲線部の曲率半径が短くなるが、このときには温度検出を介して制御装置が作動し、作動手段が付勢されて作動部先端の保護体が前進し対向した移動ケーブルを押して変位させる。これによって、移動ケーブルがかご側面から遠退く方向に変位するので、かごが移動ケーブルを摺擦することによる移動ケーブルの損傷発生を未然に防ぐ効果がある。
【発明を実施するための最良の形態】
【００１２】
実施の形態１．
図１〜図３は、この発明の実施の形態を示す図で、図１はエレベーターを概念的に示す縦断面図、図２は図１のかご箇所の拡大図、図３は図２における作動手段の作動状態を説明する図である。図において、昇降路１の上側に機械室２が設けられて、機械室２に巻上機３が設置される。そして、巻上機３の駆動綱車に主索４が巻掛けられて昇降路１内に吊下されて、一端が外装板５を有するかご６に連結され、他端はつり合おもり７に連結される。
【００１３】
また、移動ケーブル８の一端が機械室２、すなわち昇降路１の上端寄りに吊持され、他端はかご６の底面における中心寄りに吊持され、下端部に凸曲線部９を形成して昇降路１内に吊設される。そして、ねじ式電動シリンダー、油圧シリンダー等の進退機構によって構成されたアクチュエータからなる作動手段１０が、かご６底面に装着されて進退方向が水平に配置される。また、作動手段１０の作動部１１の先端に枢着されたローラからなる保護体１２がかご６の底面寄り箇所において移動ケーブル８に対向して配置される。
【００１４】
そして、作動手段１０に制御装置１３が接続され、また制御装置１３に昇降路１内温度を検出する温度検出器１４が装備される。なお、昇降路１内温度が所定値を超えて上昇したときの温度検出器１４の出力によって制御装置１３が作動し、作動手段１０が付勢されて作動部１１先端の保護体１２が前進し対向した移動ケーブル８を押して変位させる。
【００１５】
上記のように構成されたエレベーターの移動ケーブル装置において、通常時、すなわち昇降路１内温度が比較的に低温である場合には、移動ケーブル８下端の凸曲線部９の曲率半径が長くなる。この状態では作動手段１０が消勢されていて図２に示すように作動部１１先端の保護体１２はかご６の外装板５内に後退した位置に配置される。また、通常時はかご６に対して移動ケーブル８が図２に示す状態で対向する。
【００１６】
そして図２に示す状態において、巻上機３が動作して主索４を介してかご６及びつり合おもり７が互いに反対方向に昇降し、またかご６の昇降に伴って移動ケーブル８の凸曲線部９がかご６位置の下方を昇降する。また、前述の通常時において、移動ケーブル８が図２に示すようにかご６の外装板５に接触することはなく、移動ケーブル８に損傷が発生する恐れはない。そして、通常時において作動手段１０の保護体１２がかご６の外装板５内に配置される。
【００１７】
このため、かご６が外部から可視状態となる構造の昇降路１が設けられるエレベーター、すなわち展望用エレベーター等の場合にかご６外観の美観が損なわれる不具合を解消することができる。
しかし、昇降路１内温度が比較的に高温である場合は、移動ケーブル８の凸曲線部９の曲率半径が図３に鎖線で示すように短くなる。
【００１８】
そして、昇降路１内温度が所定値を超えて上昇した場合には、このときの温度検出器１４の出力によって制御装置１３が作動し、作動手段１０が付勢されて作動部１１先端の保護体１２が前進し対向した移動ケーブル８を押して変位させる。これによって、移動ケーブル８が保護体１２に支持されて凸曲線部９においてかご６の外装板５から遠退く方向に変位して図３に実線で示す状態となり、かご６の外装板５が移動ケーブル８を摺擦することによる移動ケーブル８の損傷発生を未然に防ぐことができる。
【図面の簡単な説明】
【００１９】
【図１】この発明の実施の形態１を示す図で、エレベーターを概念的に示す縦断面図。
【図２】図１のかご箇所の拡大図。
【図３】図２における作動手段の作動状態を説明する図。
【符号の説明】
【００２０】
１  昇降路、６  かご、８  移動ケーブル、９  凸曲線部、１０  作動手段、１１  作動部、１２  保護体、１３  制御装置。
【図１】
2005231794.tif 000003
【図２】
2005231794.tif 000004
【図３】
2005231794.tif 000005